(57)【要約】【課題】消費電力を抑え、かつ良好な表示を行う表示装置を実現する。【解決手段】本発明の一態様に係る表示装置（１）は、画像更新がされない第１期間の直前の駆動垂直期間の第１極性と、該駆動垂直期間より前の直近の休止垂直期間の第２極性とが、同じであるか否かを判定する極性判定部（３５）と、第１極性と第２極性とが同じである場合、第１期間において追加垂直期間を設けるリフレッシュ制御部（３４）とを備える。【選択図】図１
2015084049.tif 000002
【特許請求の範囲】
【請求項１】
表示画面のリフレッシュに応じて画素に書き込まれるデータ信号の極性が反転される表示装置であって、
画像更新がされる期間における各垂直期間を、上記リフレッシュを行う垂直期間とし、画像更新がされない期間において、上記リフレッシュを休止する垂直期間を設けるリフレッシュ制御部と、
画像更新がされない第１期間の直前の上記リフレッシュを行う第２垂直期間の第１極性と、上記第２垂直期間より前の直近の上記リフレッシュを休止する第３垂直期間の第２極性とが、同じであるか否かを判定する極性判定部とを備え、
上記第１極性と上記第２極性とが同じである場合、上記リフレッシュ制御部は、上記第１期間において、上記第１極性とは異なる極性で上記リフレッシュを行う追加垂直期間を設けることを特徴とする表示装置。
【請求項２】
上記リフレッシュを行う毎に上記画素に書き込まれる上記データ信号の極性が反転されることを特徴とする請求項１に記載の表示装置。
【請求項３】
リフレッシュレートが所定値未満であるか否かを判定するリフレッシュレート判定部を備え、
上記リフレッシュレートが上記所定値未満であり、かつ、上記第１極性と上記第２極性とが同じである場合、上記リフレッシュ制御部は、上記第１期間において、上記追加垂直期間を設け、
上記リフレッシュレートが上記所定値以上である場合、上記リフレッシュ制御部は、上記第１期間において、上記追加垂直期間を設けないことを特徴とする請求項２に記載の表示装置。
【請求項４】
上記リフレッシュ制御部は、上記第１期間において、奇数個の上記追加垂直期間を設けることを特徴とする請求項１から３のいずれか一項に記載の表示装置。
【請求項５】
上記第２垂直期間と、上記追加垂直期間との間に設けられる上記リフレッシュを休止する垂直期間の数は、０以上４以下であることを特徴とする請求項１から４のいずれか一項に記載の表示装置。
【請求項６】
上記リフレッシュ制御部は、上記第１期間における最初の垂直期間を、上記追加垂直期間とすることを特徴とする請求項１から４のいずれか一項に記載の表示装置。
【請求項７】
上記リフレッシュレート判定部は、上記第３垂直期間の直前の所定数の垂直期間が、上記リフレッシュを休止する垂直期間である場合、上記リフレッシュレートは上記所定値未満であると判定することを特徴とする請求項３に記載の表示装置。
【請求項８】
上記リフレッシュレート判定部は、上記第１期間の直前の所定数の垂直期間のそれぞれにおいて上記リフレッシュが行われたか否かに基づいて、上記リフレッシュレートを求めることを特徴とする請求項３に記載の表示装置。
【請求項９】
上記画素のＴＦＴ（thin film transistor）の半導体層には、酸化物半導体が用いられていることを特徴とする請求項１から８のいずれか一項に記載の表示装置。
【請求項１０】
上記酸化物半導体は、ＩｎＧａＺｎＯ系酸化物半導体であることを特徴とする請求項９に記載の表示装置。
【請求項１１】
請求項１から１０のいずれか一項に記載の表示装置を備え、
上記表示装置に画像データを供給することを特徴とする電子機器。
【請求項１２】
表示画面のリフレッシュに応じて画素に書き込まれるデータ信号の極性が反転される表示装置の制御方法であって、
画像更新がされる期間において、垂直期間毎に上記リフレッシュを行い、
画像更新がされない期間において、上記リフレッシュを休止する垂直期間を設け、
画像更新がされない第１期間の直前の上記リフレッシュを行う第２垂直期間の第１極性と、上記第２垂直期間より前の直近の上記リフレッシュを休止する第３垂直期間の第２極性とが、同じであるか否かを判定し、
上記第１極性と上記第２極性とが同じである場合、上記第１期間において、上記第１極性とは異なる極性で上記リフレッシュを行う追加垂直期間を設けることを特徴とする表示装置の制御方法。
【発明の詳細な説明】
【技術分野】
【０００１】
本発明は表示装置、電子機器、および表示装置の制御方法に関する。
【背景技術】
【０００２】
近年、液晶表示装置に代表される薄型、軽量、および低消費電力の表示装置が著しく普及している。こうした表示装置の典型的な搭載形態は、例えば携帯電話機、スマートフォン、ノート型ＰＣ（Personal Computer）等である。また、今後はより薄型の表示装置である電子ペーパーの開発および普及も急速に進むことが期待されている。このような状況の中、各種の表示装置において消費電力を低下させることが共通の課題となっている。
【０００３】
従来のＣＧ（Continuous Grain）シリコンＴＦＴ液晶表示パネル、またはアモルファスシリコンＴＦＴ液晶表示パネル等では、６０Ｈｚで画面リフレッシュを行う必要がある。そこで、従来の液晶表示パネルの省電力化のために、６０Ｈｚより低いリフレッシュレートを実現する試みがなされている。
【０００４】
特許文献１には、一連のフレームに渡って画像中にストライプが存在しない場合、当該フレームがフリッカを生じやすい特徴を有しないと判断し、リフレッシュレートを低下させる液晶ディスプレイが記載されている。
【０００５】
特許文献２には、フレームレート変換を行う液晶ディスプレイにおいて、補間フレームが表示される場合には極性変換がされない液晶ディスプレイが記載されている。
【先行技術文献】
【特許文献】
【０００６】
【特許文献１】特開２００９−２５１６０７号公報（２００９年１０月２９日公開）
【特許文献２】特開２０１３−１７４９１６号公報（２０１３年９月５日公開）
【発明の概要】
【発明が解決しようとする課題】
【０００７】
近年、インジウム（Ｉｎ）、ガリウム（Ｇａ）、亜鉛（Ｚｎ）を用いた酸化物半導体によってＴＦＴを構成した酸化物半導体液晶表示パネルが実現されている。酸化物半導体によって構成されたＴＦＴでは、オフ状態における電流の漏れが少ない。そのため、酸化物半導体液晶表示パネルでは、従来のように６０Ｈｚで画面リフレッシュを行う必要がなく、リフレッシュレートを１Ｈｚ程度にまで低減させることができる。そのため、酸化物半導体液晶表示パネルでは、画像更新がされない期間においてリフレッシュを休止させることができる。それゆえ、消費電力を低減することができる。
【０００８】
しかしながら、液晶表示パネルでは焼き付きを防止するためにリフレッシュ毎に画素の極性を反転させる交流駆動が行われる。上記のように画像更新がされない期間においてリフレッシュを休止させる場合、一定間隔でリフレッシュが行われない。そのため、動画像の画像更新のタイミングによっては、画素の極性が＋極性である期間と−極性である期間とのバランスが崩れることがある。極性のバランスが崩れると、それがフリッカとして利用者に視認される可能性がある。特許文献１、２においては、上記問題は想定されていない。
【０００９】
本発明の一態様によれば、消費電力を抑え、かつ良好な表示を行う表示装置を実現することができる。
【課題を解決するための手段】
【００１０】
本発明の一態様に係る表示装置は、表示画面のリフレッシュに応じて画素に書き込まれるデータ信号の極性が反転される表示装置であって、画像更新がされる期間における各垂直期間を、上記リフレッシュを行う垂直期間とし、画像更新がされない期間において、上記リフレッシュを休止する垂直期間を設けるリフレッシュ制御部と、画像更新がされない第１期間の直前の上記リフレッシュを行う第２垂直期間の第１極性と、上記第２垂直期間より前の直近の上記リフレッシュを休止する第３垂直期間の第２極性とが、同じであるか否かを判定する極性判定部とを備え、上記第１極性と上記第２極性とが同じである場合、上記リフレッシュ制御部は、上記第１期間において、上記第１極性とは異なる極性で上記リフレッシュを行う追加垂直期間を設けることを特徴としている。
【００１１】
本発明の一態様に係る表示装置の制御方法は、表示画面のリフレッシュに応じて画素に書き込まれるデータ信号の極性が反転される表示装置の制御方法であって、画像更新がされる期間において、垂直期間毎に上記リフレッシュを行い、画像更新がされない期間において、上記リフレッシュを休止する垂直期間を設け、画像更新がされない第１期間の直前の上記リフレッシュを行う第２垂直期間の第１極性と、上記第２垂直期間より前の直近の上記リフレッシュを休止する第３垂直期間の第２極性とが、同じであるか否かを判定し、上記第１極性と上記第２極性とが同じである場合、上記第１期間において、上記第１極性とは異なる極性で上記リフレッシュを行う追加垂直期間を設けることを特徴としている。
【発明の効果】
【００１２】
本発明の一態様によれば、画素の極性が長い期間に渡って一方に偏ることを防ぐことにより、利用者にフリッカが視認されることを防ぐことができる。それゆえ、表示品位を維持し、かつ、リフレッシュを休止する垂直期間を設けることにより消費電力を低減することができる。
【図面の簡単な説明】
【００１３】
【図１】本発明の一実施形態の表示装置の構成を示すブロック図である。
【図２】参考例１における画像更新およびリフレッシュのタイミングチャートである。
【図３】参考例２における画像更新およびリフレッシュのタイミングチャートである。
【図４】本発明の一実施形態の表示装置における画像更新およびリフレッシュのタイミングチャートである。
【図５】上記表示装置の表示制御部の表示制御フローを示すフローチャートである。
【図６】本発明の他の実施形態の表示装置の構成を示すブロック図である。
【図７】本発明の一実施形態の動作例における画像更新およびリフレッシュのタイミングチャートである。
【図８】本発明の他の実施形態の表示装置における画像更新およびリフレッシュのタイミングチャートである。
【図９】上記表示装置の表示制御部の表示制御フローを示すフローチャートである。
【図１０】本発明のさらに他の実施形態の表示装置における画像更新およびリフレッシュのタイミングチャートである。
【図１１】本発明のさらに他の実施形態の表示装置の構成を示すブロック図である。
【図１２】本発明のさらに他の実施形態の表示装置の構成を示すブロック図である。
【発明を実施するための形態】
【００１４】
以下、本発明の実施形態について、詳細に説明する。以下の特定の項目（実施形態）における構成について、それが他の項目で説明されている構成と同じである場合は、説明を省略する場合がある。また、説明の便宜上、各項目に示した部材と同一の機能を有する部材については、同一の符号を付し、適宜その説明を省略する。
【００１５】
〔実施形態１〕
（表示装置１の構成）
図１は、本実施形態の表示装置１の構成を示すブロック図である。表示装置１は、表示部１０と、表示駆動部２０と、表示制御部３０と、ホスト制御部４０とを備えている。表示装置１は液晶表示装置である。なお、本発明は液晶表示装置に限定されず、極性反転を行う表示装置に適用することができる。
【００１６】
表示駆動部２０は、表示部１０のガラス基板にＣＯＧ（Chip on Glass）実装された、ＣＯＧドライバであり、表示部１０の駆動を行う。ホスト制御部４０は、基板上に形成された制御回路で構成される制御基板であり、表示装置１のホスト側の制御（電子機器のための制御）を主に担う。表示制御部３０は、表示する画像に対する画像処理等のために、ホスト制御部４０とは別に設けられる制御基板である。本実施形態では、各垂直期間においてリフレッシュ（画素への書き込み）を行うか否かの決定を、表示制御部３０で行う。これにより、ホスト制御部４０の負荷を減らし、ホスト制御部４０に表示以外の別の処理（例えば電子機器のアプリケーションの処理）を行わせるための処理能力を確保することができる。以下に各部の詳細な構成について説明する。
【００１７】
表示装置１は、画像更新の有無に応じて不要なリフレッシュを省略する、すなわちリフレッシュレートが変化する表示装置である。
【００１８】
（表示部１０の構成）
表示部１０は複数の画素を有する表示画面を備えており、例えば、アクティブマトリクス型液晶表示パネルとしての酸化物半導体液晶表示パネルによって構成されている。酸化物半導体液晶表示パネルとは、二次元的に配列された複数の画素の少なくとも１つ毎に対応して設けられたスイッチング素子に、酸化物半導体−ＴＦＴ（thin film transistor）を採用した液晶表示パネルである。酸化物半導体−ＴＦＴは、半導体層に酸化物半導体が用いられたＴＦＴである。酸化物半導体としては、例えば、インジウム・ガリウム・亜鉛の酸化物を用いた酸化物半導体（ＩｎＧａＺｎＯ系酸化物半導体）がある。酸化物半導体−ＴＦＴは、オン状態において流れる電流が大きく、オフ状態におけるリーク電流が小さい。そのため、スイッチング素子に、酸化物半導体−ＴＦＴを採用したことにより、画素開口率を向上させることができる上に、画面表示のリフレッシュレートを１Ｈｚ程度にまで低減させることができる。リフレッシュレートの低減は、省電力効果をもたらす。なお、画素開口率の向上は、表示を明るくする効果、または表示の明るさをＣＧ（Continuous Grain）シリコン液晶表示パネルなどと同じにする場合には、バックライトの光量を下げることによる省電力効果をもたらす。
【００１９】
（ホスト制御部４０の構成）
ホスト制御部４０は、ＣＰＵ４１（central processing unit）、ホストメモリ４２、およびホストＴＧ４３（ホストタイミングジェネレータ）を備えている。
【００２０】
ＣＰＵ４１は、表示画面に表示するための画像データを受け取る。また、ＣＰＵ４１は、画像データを表示するタイミングを示す画像更新フラグ（タイムリファレンス）を受け取る。画像データおよび画像更新フラグは、例えば表示装置１内で起動され実行中のアプリケーションによって生成される。あるいは、画像データおよび画像更新フラグは、インターネットを介したデータストリーミングまたは放送波に含まれる。ここでは、画像データは、動画像の中の１つのフレームの画像を表すデータである。
【００２１】
ＣＰＵ４１は、受け取った画像データをホストメモリ４２に書き込む。ＣＰＵは、画像更新フラグに基づいて、画像更新を行うタイミングをホストＴＧ４３に指示する。なお、ＣＰＵ４１が、アプリケーション等の指示に基づいて、表示する画像データを生成してもよい。
【００２２】
ホストメモリ４２は、ＶＲＡＭ（Video Random Access Memory）等で構成される記憶装置である。
【００２３】
ホストＴＧ４３は、ＣＰＵ４１から画像更新の指示を受け取ると、ホストメモリ４２から画像データを取得し、表示制御部３０に画像データを転送する。ホストＴＧ４３は、表示される画像の更新が必要な時のみ（すなわち画像の内容が変化するときのみ）、更新されるフレームの画像データを表示制御部３０に転送する。画像データの転送は、例えばＭＩＰＩ（ミピ：Mobile Industry Processor Interface）等のモバイル機器のデータ通信仕様に従って行われる。なお、ホストＴＧ４３は、画像データと共に同期信号を表示制御部３０に転送する。
【００２４】
（表示制御部３０の構成）
表示制御部３０は、画像処理部３１、メモリ３２、ＴＧ３３（タイミングジェネレータ）、リフレッシュ制御部３４、および極性判定部３５を備える。
【００２５】
画像処理部３１は、ホスト制御部４０から受け取った画像データに対して、色彩調整等の画像処理を行う。画像処理部３１は、画像処理された画像データをメモリ３２に書き込む。画像処理部３１は、ホスト制御部４０から画像データを受け取ると、画像更新がされることをリフレッシュ制御部３４に伝える。
【００２６】
メモリ３２は、次に画像データが上書き（更新）されるまで、書き込まれた画像データを格納しておく。
【００２７】
リフレッシュ制御部３４は、各垂直期間について、表示画面のリフレッシュを行うか否かを決定する。すなわち、リフレッシュ制御部３４は、各垂直期間について、表示部１０の複数の画素へのデータ信号の書き込みを行うか否かを決定する。リフレッシュ制御部３４は、更新判定部３６および追加判定部３７を備える。
【００２８】
リフレッシュ制御部３４の更新判定部３６は、画像更新が行われる（表示される画像の内容が変化する）期間に含まれる各垂直期間を、リフレッシュを行う駆動垂直期間に設定する。更新判定部３６は、画像更新が行われない期間に含まれる各垂直期間を、暫定的に、リフレッシュを休止する休止垂直期間に設定する。なお、画像更新が行われるか否かは、画像データを受け取ったか否かに基づいて判断する、または、ホスト制御部４０の画像更新有り無しの通知に基づいて判断することができる。
【００２９】
極性判定部３５は、注目対象の垂直期間（現在の垂直期間）が画像更新が行われない期間である場合、リフレッシュ制御部３４が設定した過去の駆動垂直期間および休止垂直期間に基づき、第１極性と第２極性とが同じであるか否かを判定する。ここで、第１極性は、画像更新が行われない該期間の直前の駆動垂直期間の極性である。第２極性は、該駆動垂直期間の前の直近の休止垂直期間の極性である。例えば、駆動垂直期間が複数連続する場合は、第２極性は、連続する複数の駆動垂直期間の直前の休止垂直期間の極性である。極性判定部３５の詳細な処理については後述する。極性判定部３５は、判定結果をリフレッシュ制御部３４の追加判定部３７に通知する。
【００３０】
リフレッシュ制御部３４の追加判定部３７は、第１極性と第２極性とが同じである場合、画像更新が行われない該期間において、第１極性とは異なる極性でリフレッシュを行う追加駆動垂直期間（追加垂直期間）を設ける。例えば、追加判定部３７は、画像更新が行われない期間における最初の垂直期間（駆動垂直期間に続く注目対象の休止垂直期間）を、リフレッシュを行う追加駆動垂直期間に設定する。なお、リフレッシュ制御部３４は、第１極性と第２極性とが異なる場合、画像更新が行われない該期間において、追加駆動垂直期間を設けない。
【００３１】
リフレッシュ制御部３４は、設定した駆動垂直期間、追加駆動垂直期間および休止垂直期間に基づいて、各垂直期間においてリフレッシュを行うか否かをＴＧ３３に通知する。
【００３２】
ＴＧ３３は、リフレッシュ制御部３４の駆動垂直期間（追加駆動垂直期間を含む）および休止垂直期間の設定に基づいて、表示部１０のリフレッシュのタイミング（垂直期間のタイミング）に合わせて、画像データを表示駆動部２０に転送する。ＴＧ３３は、リフレッシュを行う駆動垂直期間においては、メモリ３２から画像データを読み出し、画像データを表示駆動部２０に転送する。一方、ＴＧ３３は、リフレッシュを行わない休止垂直期間においては、画像データを表示駆動部２０に転送しない。また、ＴＧ３３は、表示部１０を駆動するためのタイミング信号を生成し、該タイミング信号をソースドライバ２１に供給する。なお、ＴＧ３３は、タイミング信号を生成するためにホストＴＧ４３から入力される同期信号を利用してもよい。
【００３３】
なお、画像が更新されない期間が長く（例えば０．２５秒以上）続く場合、リフレッシュ制御部３４は、画素に書き込まれたデータ信号をリフレッシュするために、所定期間（例えば０．２５秒以上）毎に駆動垂直期間を設定してもよい。これは、静止画を長時間表示する場合の表示品位を維持するためである。
【００３４】
（表示駆動部２０の構成）
表示駆動部２０は、ソースドライバ２１を備える。ソースドライバ２１は、タイミング信号に従って、表示部１０の画素に、画像データに対応したデータ信号を書き込む。なお、本実施形態では、ソースドライバ２１は、リフレッシュを行う毎に画素に書き込まれるデータ信号の極性を反転させる。ここで、データ信号（データ電位）の極性は、画素電極に対向する対向電極の電位を基準とした極性である。反転駆動の方式は特に限定されず、例えばフレーム反転駆動方式、カラム反転駆動方式、行ライン反転駆動方式、またはドット反転駆動方式であってもよい。
【００３５】
なお、表示装置１を備えるホストである電子機器の好適な例として、例えば、携帯電話機、スマートフォン、ノート型ＰＣ（personal computer）、タブレット端末、電子書籍リーダー、またはＰＤＡ（Personal Digital Assistant）等、特に携行性を重視する（電池を電源とする）電子機器を挙げることができる。
【００３６】
（参考例１）
図２は、比較のための参考例１における画像更新およびリフレッシュのタイミングチャートである。図２において横軸は時間である。図２において、垂直同期信号は各垂直期間を規定する信号であり、ここでは各垂直期間に便宜的に番号を付す。図２において、「画像更新」または「リフレッシュ」の矩形は、当該垂直期間において画像更新またはリフレッシュが有ることを示し、「極性」は当該垂直期間における画素の極性（画素に書き込まれているデータ信号の極性）を示す。
【００３７】
参考例１の表示装置においては、画像更新が行われる垂直期間のみリフレッシュ（画素へのデータ信号書き込み）が行われ、画像更新が行われない垂直期間ではリフレッシュは行われない。これにより、画像更新が行われない期間の消費電力を低減することができる。また、参考例１では、リフレッシュが行われる毎に画素に書き込まれるデータ信号の極性が反転される。
【００３８】
例えば第１〜第２垂直期間（番号が１、２の垂直期間）は、画像更新およびリフレッシュが行われない期間であり、画素の極性は＋のまま変化しない。第３垂直期間において、画像更新およびリフレッシュが行われ、画素の極性が−に反転される。続く第４垂直期間においても、画像更新およびリフレッシュが行われ、画素の極性が＋に反転される。第５〜第７垂直期間は、画像更新およびリフレッシュが行われない期間であり、画素の極性は＋のまま変化しない。第８〜第９垂直期間においても、極性の反転が２回行われるので、その前後で画素の極性は変化しない。
【００３９】
このように、極性を反転するリフレッシュを行う駆動垂直期間が偶数連続する場合、連続する偶数の駆動垂直期間の前後で、極性が同じ（＋）になってしまう。第１３垂直期間のように、連続する駆動垂直期間が奇数（１つの場合を含む）の場合、連続する駆動垂直期間の前後で、極性が反転する。連続する偶数の駆動垂直期間の前後では極性が変わらないので、例えば連続する偶数の駆動垂直期間と休止垂直期間とからなる、第１垂直期間から第１２垂直期間の間では、平均的に見て画素の極性が＋に偏っている。また、極性が−に反転した第１３垂直期間以降では、平均的に見て画素の極性が−に偏っている。例えば画像更新されない期間がもっと長く続く場合、極性が一方に偏った期間がさらに長くなる。また、連続する駆動垂直期間の数が、長期間（数秒）に渡って常に偶数である場合、長期間に渡って極性が一方に偏ってしまう。
【００４０】
＋極性と−極性とが比較的短い期間で反転する場合、極性の反転によるフリッカは利用者には視認されない。しかしながら、極性が一方に偏った期間がある程度長くなると、極性が他方に変化したときに（図２における第１３垂直期間以降に）、フリッカが利用者に視認され得る。また、各極性の周期が異なると、さらにフリッカが利用者に視認されやすい。リフレッシュを行わない休止垂直期間を画像更新の有無に応じて設ける表示装置では、画像更新が偶数回続く場合に、上記フリッカが視認されるという問題が生じ得る。画像更新のタイミングは表示される動画像に応じて異なる。
【００４１】
（参考例２）
図３は、比較のための参考例２における画像更新およびリフレッシュのタイミングチャートである。図３における各要素は、図２と同じ意味を表す。図３に示す参考例２と図２に示す参考例１とは画像更新のタイミングが異なる。
【００４２】
例えば、参考例２のように画像更新がされる場合、画像更新のタイミングで極性も反転するので、一方の極性に偏った期間は参考例１に比べて短くなる。それゆえ、参考例２の場合、フリッカは利用者に視認されにくい。
【００４３】
（動作例１）
本実施形態では、上記フリッカが視認される問題を解決するために、画像更新がされない期間において、追加のリフレッシュを行う。以下に本実施形態における表示装置１の動作について説明する。
【００４４】
図４は、本実施形態の表示装置１における画像更新およびリフレッシュのタイミングチャートである。図４における各要素は、図２と同じ意味を表す。なお「リフレッシュ」における点線の矩形は、追加駆動垂直期間のリフレッシュを示す。図４における画像更新のタイミングは図２に示す参考例１と同じである。
【００４５】
表示装置１は、画像更新がされる期間においては、各垂直期間においてリフレッシュを行う。表示装置１は、画像更新がされない期間においては、特別な場合を除き、各垂直期間においてリフレッシュを行わない。ただし、表示装置１は、画像更新がされない期間の前に極性を反転するリフレッシュを行う駆動垂直期間が偶数連続する場合、偶数連続する駆動垂直期間に続く画像更新がされない垂直期間において、極性を反転する追加のリフレッシュを行う。すなわち、連続する駆動垂直期間が偶数の場合、追加の駆動垂直期間を１つ足して、連続する駆動垂直期間を奇数にする。
【００４６】
具体的には、第３〜第４垂直期間は、画像更新がされる期間であるので、偶数連続する駆動垂直期間となる。その前後の第１〜第２垂直期間および第５〜第７垂直期間においては、画像更新がされない。表示装置１は、偶数連続する駆動垂直期間（第３〜第４垂直期間）に続く画像更新がされない垂直期間（第５垂直期間）において、追加のリフレッシュを行う。ここでは、追加のリフレッシュを行う垂直期間を追加駆動垂直期間と呼ぶ。追加駆動垂直期間（第５垂直期間）において用いられる画像データ（画素に書き込まれるデータ）は、その直前の駆動垂直期間（第４垂直期間）において用いられる画像データと同じである。すなわち、追加駆動垂直期間（第５垂直期間）においては、表示される画像は変化しないが、画素の極性が反転される。偶数連続する駆動垂直期間に続く第１０垂直期間および第１８垂直期間も、同様に追加駆動垂直期間に設定される。このように追加駆動垂直期間を設けることにより、連続する駆動垂直期間（第３〜第５垂直期間）の前後で画素の極性が反転される。図４に示すように、第１垂直期間から第２１垂直期間では、画像更新の前後で極性が反転している。
【００４７】
そのため、本実施形態の表示装置１は、画素の極性が長い期間に渡って一方に偏ることを防ぐことができる。これにより、表示装置１は、利用者にフリッカが視認されることを防ぐことができ、かつ、休止垂直期間を設けることにより消費電力を低減することができる。
【００４８】
（表示制御フロー）
図５は、表示制御部３０の表示制御フローを示すフローチャートである。動作例１に沿って、表示制御部３０の各ブロックの具体的な表示制御フローについて説明する。
【００４９】
リフレッシュ制御部３４の更新判定部３６は、注目対象の垂直期間（現在の垂直期間）が画像更新がされる期間に含まれる場合（ステップＳ１でＹｅｓ）、当該垂直期間を駆動垂直期間に設定する（Ｓ２）。
【００５０】
一方、更新判定部３６は、注目対象の垂直期間（例えば第５垂直期間）が画像更新がされない期間Ａ（第１期間）に含まれる場合（Ｓ１でＮｏ）、暫定的に当該垂直期間を休止垂直期間に設定する（Ｓ３）。
【００５１】
Ｓ３の後、極性判定部３５は、画像更新がされない期間Ａの直前の駆動垂直期間Ｂ（第２垂直期間）の極性（第１極性）と、駆動垂直期間Ｂの前の直近の休止垂直期間Ｃ（第３垂直期間）の極性（第２極性）とが同じであるか否かを判定する（Ｓ４）。ここで、駆動垂直期間Ｂは、注目対象の垂直期間（休止垂直期間）の前の直近の駆動垂直期間（追加駆動垂直期間を含む）である。駆動垂直期間Ｂの前に他の駆動垂直期間が連続する場合、休止垂直期間Ｃは、連続する複数の駆動垂直期間（駆動垂直期間Ｂ含む）の直前の休止垂直期間である。駆動垂直期間Ｂの直前が休止垂直期間である場合、該休止垂直期間が休止垂直期間Ｃである。休止垂直期間Ｃから少なくともその前の直近の駆動垂直期間までは、極性は同じである。そして、休止垂直期間Ｃの第２極性と駆動垂直期間Ｂの第１極性とが同じである場合、駆動垂直期間Ｂの後の画像更新がされない期間Ａにおいて極性を反転させないと、長い期間に渡って極性が一方に偏る可能性がある。
【００５２】
なお、リフレッシュ毎に極性が反転される場合、極性判定部３５は、連続している駆動垂直期間が偶数であれば、第１極性と第２極性が同じであると判定することができる。また、極性判定部３５は、連続している駆動垂直期間が奇数であれば、第１極性と第２極性が異なると判定することができる。上記判定を行うために、極性判定部３５は、過去の所定数の垂直期間が駆動垂直期間（追加駆動垂直期間含む）であるか休止垂直期間であるかの情報を記憶しておいてもよい。または、上記判定を行うために、極性判定部３５は、連続する駆動垂直期間の数を記憶しておいてもよい。または、上記判定をより簡単に行うために、極性判定部３５は、連続する駆動垂直期間が偶数であるか奇数であるかの情報を記憶しておいてもよい。
【００５３】
駆動垂直期間Ｂの第１極性と休止垂直期間Ｃの第２極性とが同じである場合（Ｓ４でＹｅｓ）、リフレッシュ制御部３４の追加判定部３７は、画像更新がされない注目対象の垂直期間（第５垂直期間）を、追加駆動垂直期間に設定する（Ｓ５）。
【００５４】
Ｓ２またはＳ５の後、注目対象の垂直期間は駆動垂直期間（追加駆動垂直期間を含む）に設定されているので、ＴＧ３３は、メモリ３２から画像データを読み出し、リフレッシュのために画像データをソースドライバ２１に出力する。ソースドライバ２１は、直前の駆動垂直期間から極性を反転させて、データ信号を表示部１０の画素に供給する、すなわち表示駆動部２０は表示部１０のリフレッシュを行う（Ｓ７）。
【００５５】
一方、駆動垂直期間Ｂの第１極性と休止垂直期間Ｃの第２極性とが異なる場合（Ｓ４でＮｏ）、リフレッシュ制御部３４の追加判定部３７は、画像更新がされない注目対象の垂直期間を、休止垂直期間に設定されたままにする（Ｓ６）。ここで休止垂直期間の設定を行う場合は、Ｓ３の暫定的な処理は省略することもできる。
【００５６】
Ｓ６の後、注目対象の垂直期間は休止垂直期間に設定されているので、ＴＧ３３は、画像データをソースドライバ２１に出力しない。表示駆動部２０は表示部１０のリフレッシュを行わない（Ｓ８）。
【００５７】
追加駆動垂直期間においては、ソースドライバ２１は、第１極性および第２極性（＋）とは異なる極性（−）でリフレッシュ（画素への書き込み）を行う。そのため、休止垂直期間Ｃ以前の期間と、注目対象の垂直期間（第５垂直期間）以降の期間とで、極性を異ならせることができる。これにより、長期的に見た場合に極性が偏る期間を短くすることができる。
【００５８】
（変形例）
本実施形態の上記の動作例１では、連続する偶数の駆動垂直期間の直後の、画像更新がされない期間Ａの最初（最先）の垂直期間（第５垂直期間）を、追加駆動垂直期間としたが、本発明はこれに限定されない。例えば、連続する偶数の駆動垂直期間から所定数の休止垂直期間を挟んだ垂直期間を追加駆動垂直期間としてもよい。画像更新がされない期間が長い場合、連続する偶数の駆動垂直期間とその後の追加駆動垂直期間との間にいくつかの休止垂直期間が挟まれていても、長期的に見た場合に極性が偏る期間を短くすることができる。連続する偶数の駆動垂直期間とその後の追加駆動垂直期間との間に設けられる休止垂直期間の数は、０以上４以下であることが好ましい。
【００５９】
また、１つの画像更新がされない期間Ａにおいて、追加駆動垂直期間は、複数設けられてもよい。すなわち、追加駆動垂直期間は、画像更新がされない期間Ａにおいて奇数個設けられればよい。なお、追加駆動垂直期間の数が増えると省電力効果が低下するので、追加駆動垂直期間の数は１または３であることが好ましい。複数の奇数個の追加駆動垂直期間の間には、休止垂直期間が挟まれていてもいなくてもよい。
【００６０】
駆動垂直期間Ｂのいくつか後の垂直期間を追加駆動垂直期間に設定したが、当該垂直期間において画像更新がされることになった場合、当該垂直期間において通常通り画像更新を伴うリフレッシュを行えばよい。すなわち、追加駆動垂直期間の設定を解除すればよい。
【００６１】
なお、これらの変形例は、後述の実施形態においても適用することができる。
【００６２】
〔実施形態２〕
本実施形態では、極性の判定に加えて、リフレッシュレートに応じて、追加垂直期間を追加するか否かを判断する点が実施形態１と異なる。
【００６３】
図６は、本実施形態の表示装置２の構成を示すブロック図である。表示装置２は、表示部１０と、表示駆動部２０と、表示制御部３０ａと、ホスト制御部４０とを備えている。表示駆動部２０およびホスト制御部４０の構成は、実施形態１と同じである。
【００６４】
（表示制御部３０ａの構成）
表示制御部３０ａは、画像処理部３１、メモリ３２、ＴＧ３３、リフレッシュ制御部３４、極性判定部３５、およびリフレッシュレート判定部３８を備える。画像処理部３１、メモリ３２、ＴＧ３３、極性判定部３５の構成は、実施形態１と同じである。
【００６５】
リフレッシュレート判定部３８は、過去の複数の垂直期間のそれぞれが駆動垂直期間（追加駆動垂直期間を含む）であるか休止垂直期間であるかに応じて、リフレッシュレートを特定する。リフレッシュレート判定部３８は、特定されたリフレッシュレートが所定値未満であるか否かを判定する。リフレッシュレート判定部３８は、判定結果をリフレッシュ制御部３４に通知する。
【００６６】
リフレッシュ制御部３４の追加判定部３７は、リフレッシュレートが上記所定値以上である場合、極性判定部３５の判定結果に関わらず、追加駆動垂直期間を設けない。一方、リフレッシュレートが上記所定値未満であり、かつ、第１極性と第２極性とが同じである場合、追加判定部３７は、画像更新が行われない期間において、第１極性とは異なる極性でリフレッシュを行う追加駆動垂直期間を設ける。
【００６７】
（動作例２）
図７は、動作例２における画像更新およびリフレッシュのタイミングチャートである。図７における各要素は、図２と同じ意味を表す。動作例２は、本実施形態の動作ではなく、実施形態１の動作と同じ動作を示すものである。すなわち、動作例２では、リフレッシュレートに関わらず、連続する偶数の駆動垂直期間の直後の垂直期間を追加駆動垂直期間としている。図７では、画像更新のタイミングが図４とは異なる。
【００６８】
例えば第１３垂直期間に注目すると、直前に偶数の駆動垂直期間（第１１〜第１２垂直期間）が連続しているので、第１３垂直期間は追加駆動垂直期間に設定される。
【００６９】
第１５垂直期間に注目すると、第１３垂直期間が追加駆動垂直期間に設定されたので、直前に偶数の駆動垂直期間（第１１〜第１４垂直期間）が連続している。その結果、第１５垂直期間も追加駆動垂直期間に設定される。
【００７０】
同様に、第１７垂直期間の直前にも偶数の駆動垂直期間（第１１〜第１６垂直期間）が連続しているので、第１７垂直期間も追加駆動垂直期間に設定される。
【００７１】
このように、ほぼ半分の垂直期間で画像更新が行われる場合、追加駆動垂直期間を設けることにより、その後の期間において連鎖的に追加駆動垂直期間を設けてしまう場合がある。例えば、極性が一方に偏る期間の長さを考慮しても第１３、第１５、第１７垂直期間に追加駆動垂直期間を設ける必要はない。頻繁に画像更新（に伴うリフレッシュ）がされている期間においては、極性が一方に偏る期間は長くならないので、追加駆動垂直期間を設ける必要はない。これらの垂直期間に追加駆動垂直期間を設けた結果、不要な消費電力が増加してしまうという新たな問題が生じる。
【００７２】
（動作例３）
本実施形態では、画像更新のタイミングによっては不要な消費電力が増加してしまうという問題を解決するために、リフレッシュレートに応じて、追加垂直期間を追加するか否かが判断される。以下に本実施形態における表示装置２の動作（動作例３）について説明する。
【００７３】
図８は、本実施形態の表示装置２における画像更新およびリフレッシュのタイミングチャートである。図８における各要素は、図２と同じ意味を表す。図８における画像更新のタイミングは図７に示す動作例２と同じである。
【００７４】
表示装置２は、画像更新がされる期間においては、各垂直期間においてリフレッシュを行う。リフレッシュレートが所定値より低い場合、表示装置２は、偶数連続する駆動垂直期間に続く画像更新がされない最初の垂直期間において、追加のリフレッシュを行う。ただし、リフレッシュレートが所定値以上の場合、表示装置２は、追加のリフレッシュを行わない。
【００７５】
具体的には、第７〜第８垂直期間は、画像更新がされる期間であるので、偶数連続する駆動垂直期間となる。その前の所定の期間におけるリフレッシュレートが所定値より低いので、表示装置２は第９垂直期間において追加のリフレッシュを行う。第９垂直期間は追加駆動垂直期間に設定される。ここでは、偶数連続する駆動垂直期間の直前に、３つ以上の休止垂直期間が連続している場合、表示装置２は、リフレッシュレートは所定値より低いと判断する。偶数連続する駆動垂直期間の直前に連続する休止垂直期間が３未満の場合、表示装置２は、リフレッシュレートは所定値以上であると判断する。これによれば、簡易にリフレッシュレートが高いか低いかを判定することができる。
【００７６】
一方、その後の偶数連続する駆動垂直期間（第１１〜第１２垂直期間）の直前に連続する休止垂直期間は、１つ（第１０垂直期間のみ）である。そのため、第１３垂直期間の時点で、表示装置２は、リフレッシュレートが所定値以上であると判断する。それゆえ、表示装置２は、第１３垂直期間を追加駆動垂直期間ではなく休止垂直期間に設定する。
【００７７】
動作例２とは異なり第１３垂直期間が休止垂直期間になったので、第１４、第１６垂直期間は、それぞれ奇数連続する駆動垂直期間である。そのため、その直後の第１５、第１７垂直期間は休止垂直期間に設定される。また、第２１垂直期間も、リフレッシュレートが所定値以上であると判断され、休止垂直期間に設定される。
【００７８】
頻繁に画像更新に伴うリフレッシュが行われる期間では、リフレッシュ毎に極性が反転するので、極性の偏りは小さい。本実施形態の表示装置２は、そのようなリフレッシュレートが高い期間では、追加駆動垂直期間を設けないことにより、消費電力の増加を抑制することができる。一方で、リフレッシュレートが低い期間では、追加駆動垂直期間を設けることにより、画素の極性が長い期間に渡って一方に偏ることを防ぐことができる。これにより、表示装置２は、利用者にフリッカが視認されることを防ぐことができ、かつ、適切に休止垂直期間を設けることにより消費電力を低減することができる。
【００７９】
（表示制御フロー）
図９は、表示制御部３０ａの表示制御フローを示すフローチャートである。動作例３に沿って、表示制御部３０ａの各ブロックの具体的な表示制御フローについて説明する。なお、図９に示すステップＳ１１〜Ｓ１４、Ｓ１６〜Ｓ１９は、それぞれ図５に示すステップＳ１〜Ｓ８と同じであるので、説明を省略する。
【００８０】
駆動垂直期間Ｂ（第８、第１２垂直期間）の第１極性とその前の直近の休止垂直期間Ｃ（第６、第１０垂直期間）の第２極性とが同じである場合（Ｓ１４でＹｅｓ）、リフレッシュレート判定部３８は、リフレッシュレートが所定値未満であるか否かを判定する（Ｓ１５）。
【００８１】
リフレッシュレートが所定値未満である場合（Ｓ１５でＹｅｓ）、リフレッシュ制御部３４の追加判定部３７は、画像更新がされない注目対象の垂直期間（第９垂直期間）を、追加駆動垂直期間に設定する（Ｓ１６）。
【００８２】
一方、リフレッシュレートが所定値以上である場合（Ｓ１５でＮｏ）、リフレッシュ制御部３４の追加判定部３７は、画像更新がされない注目対象の垂直期間（第１３垂直期間）を、休止垂直期間に設定されたままにする（Ｓ１７）。
【００８３】
なおＳ１５において、リフレッシュレート判定部３８は、休止垂直期間Ｃを含む、連続する休止垂直期間の数が３以上である場合、リフレッシュレートは所定値未満であると判定する。言い換えれば、リフレッシュレート判定部３８は、休止垂直期間Ｃの直前の２個（所定数）の垂直期間が、休止垂直期間である場合、リフレッシュレートは所定値未満であると判定する。リフレッシュレート判定部３８は、上記判定を行うために、駆動垂直期間の前の休止垂直期間が何個連続していたかを記憶しておいてもよい。あるいは、リフレッシュレート判定部３８は、過去の複数の垂直期間が駆動垂直期間（追加駆動垂直期間含む）であるか休止垂直期間であるかの情報を記憶しておいてもよい。この場合、リフレッシュレート判定部３８は、簡単な構成および処理によって、リフレッシュレートを判定することができる。
【００８４】
または、リフレッシュレート判定部３８は、画像更新がされない期間Ａの直前の所定数（例えば３０程度）の垂直期間のそれぞれにおいてリフレッシュが行われたか否かに基づいて、直前のリフレッシュレートを求めてもよい。リフレッシュレート判定部３８は、過去の所定期間（所定数の垂直期間）の各垂直期間が駆動垂直期間（追加駆動垂直期間含む）であるか休止垂直期間であるかの情報を記憶しておけばよい。該情報に基づいて、リフレッシュレート判定部３８は、過去の所定期間におけるリフレッシュレート（＝駆動垂直期間数／全垂直期間数）を求めることができる。リフレッシュレート判定部３８は、求めたリフレッシュレートが所定値未満であるか否かを判定する。この所定値は、例えば垂直期間のレート（例えば６０Ｈｚ）の半分以下の値（例えば３０Ｈｚ以下）に設定してもよいが、これに限らない。この場合、リフレッシュレート判定部３８は、より正確にリフレッシュレートを判定することができる。
【００８５】
なお、リフレッシュレートの判定（Ｓ１５）および極性の判定（Ｓ１４）の処理の順序は、逆であってもよい。
【００８６】
〔実施形態３〕
本実施形態では、極性反転を伴わないリフレッシュが存在する、すなわち、リフレッシュ毎に極性反転が行われない場合について説明する。本実施形態の表示装置の構成は、図１に示すブロック図と同じである。ただし、表示制御部３０および表示駆動部２０における処理が実施形態１とは異なる。
【００８７】
本実施形態では、表示制御部３０は、ホスト制御部４０から受け取った動画像に対して補間フレーム（中間フレーム）を生成し、動画像を倍速駆動で表示させる。動画像の最大のフレームレートを６０Ｈｚとした場合、表示部１０の最大のリフレッシュレートは１２０Ｈｚである。ホスト制御部４０は、オリジナルの画像データにおいて画像更新があるときのみ、最大６０Ｈｚで画像データを表示制御部３０に出力する。
【００８８】
画像処理部３１は、２つの画像更新のフレームが６０Ｈｚで連続する場合、前のフレームと後のフレームとの中間の画像を示す、補間フレームを生成する。画像処理部３１は、前のフレームと後のフレームとの間隔が長い場合、補間フレームを生成しない。
【００８９】
ＴＧ３３は、オリジナルのフレームの画像データまたは補間フレームの画像データを、最大１２０Ｈｚで表示駆動部２０に出力する。また、ＴＧ３３は、オリジナルのフレームの画素への書き込みにおいては、データ信号の極性を反転させ、補間フレームの画素への書き込みにおいては、データ信号の極性を反転させないよう、表示駆動部２０に指示する。これは、補間フレームにおいても極性反転を行うと、極性反転の増加に伴って消費電力が増加するためである。
【００９０】
極性判定部３５は、注目対象の垂直期間（現在の垂直期間）が画像更新が行われない期間である場合、第１極性と第２極性とが同じであるか否かを判定する。ここで、第１極性は、画像更新が行われない該期間の直前の駆動垂直期間の極性である。第２極性は、該駆動垂直期間の前の直近の休止垂直期間の極性である。上記判定を行うために、極性判定部３５は、過去の所定数の垂直期間が駆動垂直期間（追加駆動垂直期間含む）であるか休止垂直期間であるかの情報、および各垂直期間における画素の極性を記憶しておいてもよい。
【００９１】
リフレッシュ制御部３４の追加判定部３７は、第１極性と第２極性とが同じである場合、画像更新が行われない該期間において、第１極性とは異なる極性でリフレッシュを行う追加駆動垂直期間を設ける。なお、リフレッシュ制御部３４は、第１極性と第２極性とが異なる場合、画像更新が行われない該期間において、追加駆動垂直期間を設けない。
【００９２】
リフレッシュ制御部３４は、各駆動垂直期間において極性反転を行うか否かをＴＧ３３に指示する。リフレッシュ制御部３４は、オリジナルのフレーム（オリジナルの画像データ）を書き込む駆動垂直期間および追加駆動垂直期間では極性反転を行わせ、補間フレームを書き込む駆動垂直期間では極性反転を行わせない。もちろん休止垂直期間ではリフレッシュが行われないので極性反転はされない。
【００９３】
（動作例４）
以下に本実施形態における表示装置１の動作（動作例４）について説明する。
【００９４】
図１０は、本実施形態の表示装置１における画像更新およびリフレッシュのタイミングチャートである。図１０における各要素は、図２と同じ意味を表す。図１０において、「画像更新」における斜線でハッチングされた矩形は、補間フレームによる画像更新があることを示し、「リフレッシュ」における斜線でハッチングされた矩形は、補間フレームを書き込むことを示す。一方、斜線無しの矩形は、オリジナルの画像データ（フレーム）を書き込むことを示す。「リフレッシュ」における点線の矩形は、追加駆動垂直期間のリフレッシュを示す。追加駆動垂直期間においては、極性を除き、直前の駆動垂直期間の画像データと同じ画像データに対応するデータ信号が画素に書き込まれる。なお、図１０においては、１秒間に１２０個の垂直期間が含まれる（１２０Ｈｚで駆動される）。
【００９５】
オリジナルの画像データが書き込まれる第３、第５垂直期間では、直前の垂直期間に対して極性の反転が行われる。これに対し、補間フレームが書き込まれる第４垂直期間では、直前の垂直期間に対して極性の反転が行われない。なお、第３、第５垂直期間のように、オリジナルの画像データが６０Ｈｚで連続する場合、その間の第４垂直期間に補間フレームの表示が行われる。一方、第５、第９垂直期間のように、オリジナルの画像データのフレームレートが６０Ｈｚ未満の期間（第６〜第８垂直期間）では、補間フレームの表示は行われない。
【００９６】
画像更新がされない期間Ａの最初の第６垂直期間に注目する。第３〜第５垂直期間は連続する奇数の駆動垂直期間であるが、第６垂直期間の直前の駆動垂直期間Ｂ（第５垂直期間）の極性（第１極性）と、駆動垂直期間Ｂの前の直近の休止垂直期間Ｃ（第２垂直期間）の極性（第２極性）とは同じである。駆動垂直期間Ｂの第１極性と休止垂直期間Ｃの第２極性とが同じである場合、リフレッシュ制御部３４の追加判定部３７は、画像更新がされない注目対象の垂直期間（第６垂直期間）を、極性反転を伴う追加駆動垂直期間に設定する。このように追加駆動垂直期間を設けることにより、連続する駆動垂直期間の前後で画素の極性が反転される。
【００９７】
次に画像更新がされない期間Ａ’の最初の第１４垂直期間に注目する。第９〜第１３垂直期間は連続する奇数の駆動垂直期間である。第１４垂直期間の直前の駆動垂直期間Ｂ’（第１３垂直期間）の極性（第１極性）と、駆動垂直期間Ｂの前の直近の休止垂直期間Ｃ’（第８垂直期間）の極性（第２極性）とは異なっている。駆動垂直期間Ｂ’の第１極性と休止垂直期間Ｃ’の第２極性とが異なる場合、リフレッシュ制御部３４の追加判定部３７は、画像更新がされない注目対象の垂直期間（第１４垂直期間）を、休止垂直期間に設定する。
【００９８】
このように、本実施形態では、連続する駆動垂直期間の直前の休止垂直期間Ｃの第２極性と、連続する駆動垂直期間の最後の駆動垂直期間Ｂの第１極性とに応じて、画像更新がされない期間Ａにおいて極性反転を伴う追加駆動垂直期間を設ける。これにより、極性反転を伴わない駆動垂直期間（例えば第４垂直期間）が存在している場合であっても、連続する駆動垂直期間の前後で適切に極性を反転させることができる。そのため、本実施形態の表示装置１は、画素の極性が長い期間に渡って一方に偏ることを防ぐことができる。これにより、表示装置１は、利用者にフリッカが視認されることを防ぐことができ、かつ、休止垂直期間を設けることにより消費電力を低減することができる。
【００９９】
なお、２つのオリジナルフレームの間の補間フレームの数を１としたが、２つのオリジナルフレームの間に複数の補間フレームが生成されてもよい。
【０１００】
また、ここでは補間フレームに対応する垂直期間が極性反転を伴わない駆動垂直期間であるとしたが、これに限らない。本発明の一態様は、複数のオリジナルの画像データの一部の書き込みにおいて極性反転を伴わない場合にも適用可能である。
【０１０１】
〔実施形態４〕
本実施形態では、実施形態２とは異なり、表示装置は表示制御部の基板を備えず、リフレッシュ制御部等はホスト制御部の基板上に形成される。
【０１０２】
図１１は、本実施形態の表示装置３の構成を示すブロック図である。表示装置３は、表示部１０と、表示駆動部２０と、ホスト制御部４０ｂとを備えている。表示部１０および表示駆動部２０の構成は、実施形態１、２と同様である。
【０１０３】
（ホスト制御部４０ｂの構成）
ホスト制御部４０ｂは、ＣＰＵ４１、ホストメモリ４２、ホストＴＧ４３、リフレッシュ制御部３４、リフレッシュレート判定部３８、および極性判定部３５を備える。リフレッシュ制御部３４、リフレッシュレート判定部３８、および極性判定部３５の動作は、実施形態２と同様である。
【０１０４】
ホストＴＧ４３は、駆動垂直期間（追加駆動垂直期間を含む）に対応してリフレッシュが行われるときのみ画像データを表示駆動部２０に転送する。ホストＴＧ３３は、表示部１０を駆動するためのタイミング信号を生成し、該タイミング信号をソースドライバ２１に供給する。
【０１０５】
このように表示制御部の基板を省略し、ホスト制御部４０ｂに追加駆動垂直期間を設ける判定を行わせることで、表示装置全体の構成を簡略化することもできる。
【０１０６】
〔実施形態５〕
本実施形態では、実施形態２とは異なり、表示装置は表示制御部の基板を備えず、リフレッシュ制御部等はＣＯＧドライバである表示駆動部に設けられている。
【０１０７】
図１２は、本実施形態の表示装置４の構成を示すブロック図である。表示装置４は、表示部１０と、表示駆動部２０ｃと、ホスト制御部４０とを備えている。
【０１０８】
ホスト制御部４０の構成は、実施形態２と同様である。ただし、ホストＴＧ４３は、画像更新がされるときのみ画像データを表示駆動部２０ｃに転送する。
【０１０９】
表示駆動部２０ｃは、メモリ３２、ＴＧ３３、リフレッシュ制御部３４、リフレッシュレート判定部３８、極性判定部３５、およびソースドライバ２１を備える。表示駆動部２０ｃの各部の動作は、実施形態２と同様である。
【０１１０】
本実施形態では、駆動または休止の判定を、ＣＯＧドライバ（表示駆動部２０ｃ）で行う。これにより、ホスト制御部４０とは別の基板を設けることなく、ホスト制御部４０の負荷を減らすことができる。アクティブマトリクス基板に形成されるＣＯＧドライバは実装面積が制限されるため、本実施形態は、極性判定部３５およびリフレッシュレート判定部３８において簡単な判定処理のみを行う場合に適している。
【０１１１】
〔ソフトウェアによる実現例〕
表示装置１〜４の制御ブロック（特にリフレッシュ制御部３４、極性判定部３５、およびリフレッシュレート判定部３８）は、集積回路（ＩＣチップ）等に形成された論理回路（ハードウェア）によって実現してもよいし、ＣＰＵ（Central Processing Unit）を用いてソフトウェアによって実現してもよい。
【０１１２】
後者の場合、表示装置１〜４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１３】
〔まとめ〕
本発明の態様１に係る表示装置は、表示画面のリフレッシュに応じて画素に書き込まれるデータ信号の極性が反転される表示装置であって、画像更新がされる期間における各垂直期間を、上記リフレッシュを行う垂直期間とし、画像更新がされない期間において、上記リフレッシュを休止する垂直期間を設けるリフレッシュ制御部（３４）と、画像更新がされない第１期間（期間Ａ）の直前の上記リフレッシュを行う第２垂直期間の第１極性と、上記第２垂直期間（垂直期間Ｂ）より前の直近の上記リフレッシュを休止する第３垂直期間（垂直期間Ｃ）の第２極性とが、同じであるか否かを判定する極性判定部（３５）とを備え、上記第１極性と上記第２極性とが同じである場合、上記リフレッシュ制御部は、上記第１期間において、上記第１極性とは異なる極性で上記リフレッシュを行う追加垂直期間（追加駆動垂直期間）を設ける。
【０１１４】
ここで、極性の反転は、リフレッシュ毎に行われてもよいし、一部のリフレッシュのみにおいて行われてもよい。リフレッシュを行う複数の駆動垂直期間が連続する場合、第３垂直期間は、第２垂直期間を含む複数の連続する駆動垂直期間の直前の休止垂直期間である。また、第２垂直期間は、複数の連続する駆動垂直期間のうちの最後の駆動垂直期間である。
【０１１５】
上記の構成によれば、効率的に画素の極性を反転させることができ、画素の極性が長い期間に渡って一方に偏ることを防ぐことができる。これにより、利用者にフリッカが視認されることを防ぐことができ、かつ、リフレッシュを休止する垂直期間を設けることにより消費電力を低減することができる。
【０１１６】
本発明の態様２に係る表示装置は、上記態様１において、上記リフレッシュを行う毎に上記画素に書き込まれる上記データ信号の極性が反転される構成であってもよい。
【０１１７】
上記の構成によれば、リフレッシュを行う垂直期間が偶数連続する場合、第１極性と第２極性とが同じになる。極性判定部は、リフレッシュを行う垂直期間が偶数連続するか奇数連続するかに基づいて、第１極性と第２極性とが同じであるか否かを判定することができる。それゆえ、極性判定部は、簡単な構成で判定処理を行うことができる。
【０１１８】
本発明の態様３に係る表示装置は、上記態様２において、リフレッシュレートが所定値未満であるか否かを判定するリフレッシュレート判定部（３８）を備え、上記リフレッシュレートが上記所定値未満であり、かつ、上記第１極性と上記第２極性とが同じである場合、上記リフレッシュ制御部は、上記第１期間において、上記追加垂直期間を設け、上記リフレッシュレートが上記所定値以上である場合、上記リフレッシュ制御部は、上記第１期間において、上記追加垂直期間を設けない構成であってもよい。
【０１１９】
上記の構成によれば、リフレッシュレートが高いときに不要な極性の反転を増加させることなく、リフレッシュレートが低いときに効果的に極性を反転させる追加のリフレッシュを行うことができる。それゆえ、消費電力の抑制と、表示品位の維持を両立することができる。
【０１２０】
本発明の態様４に係る表示装置では、上記態様１から３において、上記リフレッシュ制御部は、上記第１期間において、奇数個の上記追加垂直期間を設ける構成であってもよい。
【０１２１】
本発明の態様５に係る表示装置では、上記態様１から４において、上記第２垂直期間と、上記追加垂直期間との間に設けられる上記リフレッシュを休止する垂直期間の数は、０以上４以下である構成であってもよい。
【０１２２】
追加垂直期間は、必ずしも第２垂直期間の直後に設けられなくてもよい。ただし、極性が偏る期間を短くするために、第２垂直期間と追加垂直期間との間に挟まれる休止垂直期間の数は４以下としてもよい。
【０１２３】
本発明の態様６に係る表示装置では、上記態様１から４において、上記リフレッシュ制御部は、上記第１期間における最初の垂直期間を、上記追加垂直期間とする構成であってもよい。
【０１２４】
このように、第２垂直期間の直後の垂直期間を、追加垂直期間に設定してもよい。
【０１２５】
本発明の態様７に係る表示装置では、上記態様３において、上記リフレッシュレート判定部は、上記第３垂直期間の直前の所定数の垂直期間が、上記リフレッシュを休止する垂直期間である場合、上記リフレッシュレートは上記所定値未満であると判定する構成であってもよい。
【０１２６】
上記の構成によれば、第３期間の直前に連続する休止垂直期間の数を判定することで、リフレッシュレート判定部は、簡易的にリフレッシュレートを推測することができる。それゆえ、リフレッシュレート判定部の構成（リソース）および処理を簡単にすることができる。
【０１２７】
本発明の態様８に係る表示装置では、上記態様３において、上記リフレッシュレート判定部は、上記第１期間の直前の所定数の垂直期間のそれぞれにおいて上記リフレッシュが行われたか否かに基づいて、上記リフレッシュレートを求める構成であってもよい。
【０１２８】
上記の構成によれば、より正確なリフレッシュレートを求めることができる。そのため、追加垂直期間の要否をより適切に判定することができる。
【０１２９】
本発明の態様９に係る表示装置では、上記態様１から８において、上記画素のＴＦＴの半導体層には、酸化物半導体が用いられている構成であってもよい。
【０１３０】
本発明の態様１０に係る表示装置では、上記態様９において、上記酸化物半導体は、ＩｎＧａＺｎＯ系酸化物半導体である構成であってもよい。
【０１３１】
本発明の態様１１に係る電子機器は、上記態様１から１０のいずれかの表示装置を備え、上記表示装置に画像データを供給する構成である。
【０１３２】
本発明の態様１２に係る表示装置の制御方法は、表示画面のリフレッシュに応じて画素に書き込まれるデータ信号の極性が反転される表示装置の制御方法であって、画像更新がされる期間において、垂直期間毎に上記リフレッシュを行い、画像更新がされない期間において、上記リフレッシュを休止する垂直期間を設け、画像更新がされない第１期間の直前の上記リフレッシュを行う第２垂直期間の第１極性と、上記第２垂直期間より前の直近の上記リフレッシュを休止する第３垂直期間の第２極性とが、同じであるか否かを判定し、上記第１極性と上記第２極性とが同じである場合、上記第１期間において、上記第１極性とは異なる極性で上記リフレッシュを行う追加垂直期間を設ける。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３４】
本発明は、表示装置および表示装置を備える電子機器に利用することができる。
【符号の説明】
【０１３５】
１〜４    表示装置
１０    表示部
２０、２０ｃ    表示駆動部
２１    ソースドライバ
３０、３０ａ    表示制御部
３１    画像処理部
３２    メモリ
３３    ＴＧ
３４    リフレッシュ制御部
３５    極性判定部
３６    更新判定部
３７    追加判定部
３８    リフレッシュレート判定部
４０、４０ｂ    ホスト制御部
４１    ＣＰＵ
４２    ホストメモリ
４３    ホストＴＧ
【図１】
2015084049.tif 000003
【図２】
2015084049.tif 000004
【図３】
2015084049.tif 000005
【図４】
2015084049.tif 000006
【図５】
2015084049.tif 000007
【図６】
2015084049.tif 000008
【図７】
2015084049.tif 000009
【図８】
2015084049.tif 000010
【図９】
2015084049.tif 000011
【図１０】
2015084049.tif 000012
【図１１】
2015084049.tif 000013
【図１２】
2015084049.tif 000014